(57)【要約】【課題】容量の少ない容器や浅形の容器でも容量を減らさず、外気を遮断し電子レンジの使用が容易な密閉蓋を提供する。【解決手段】パッキンを装着した容器の蓋であって、蓋の下部筒状突出縁であるハマの外側の蓋底面とパッキンの一部分である翼状に突設した薄羽が、極狭い隙間空間で離間する位置に形成された、圧着するバンドと翼状に突設した薄羽から成る軟質弾性材によるパッキンを、蓋のハマへ圧着または嵌装したことを特徴とする密閉蓋。【選択図】  図２
2007082977.tif 000002
【特許請求の範囲】
【請求項１】
パッキンを装着した食器の蓋であって、パッキンは軟質ゴム或いは軟質樹脂を用い圧着用バンドの弾性により蓋のハマに圧着され、パッキンにはバンドの外周に一体で形成する翼状に取り巻く薄羽が突設されたことを特徴とする密閉蓋。
【発明の詳細な説明】
【技術分野】
【０００１】  本発明は、食器に用いるパッキンを装着して外気を遮断する密閉蓋に関するものである。
【背景技術】
【０００２】  従来、食器に用いるパッキンを装着して外気を遮断する密閉蓋には、蓋のハマに嵌装するための窪みを設け装着された板状のパッキンが食器と接合する位置に衝合し圧着された、乗せて用いる蓋（図１２参照）があった。また、蓋のハマに嵌装するための凹陥溝を蓋と離間し設け、蓋に嵌装された板状のパッキンが食器の内側へ変形され没入し封緘できる位置に嵌装された、嵌め込んで用いる蓋（図１３、図１４参照）があった。
【発明の開示】
【発明が解決しようとする課題】
【０００３】  従来のパッキンを装着して外気を遮断する密閉蓋には、次のような問題点があった。
蓋のハマに円筒から裁断された板状のパッキンが装着された乗せて用いる蓋は、食器の歪や開口部の僅かな高低差でも外気遮断に影響し密閉度が安定しなかった。パッキンが板状なため装着可能な蓋と食器の形状が制約されてしまう。また、パッキンを厚く用い付属機具で圧力をかける密閉蓋は、汎用性に欠け素材によっては電子レンジの使用ができない。
嵌め込んで用いる蓋は、付属機具を用いず食器を密閉できるが、蓋を密閉したまま電子レンジで使用することができない。円筒から裁断された板状のパッキンを用い封緘される蓋の取り外しには強い力を必要とし、封緘するために蓋との離間を大きくする必用があるため、蓋全体が厚くなり食器の容量を大きく減少してしまう。これらの問題点の多くが、パッキンの脱落防止と食器の密閉、この二つの異なる機能を板状のパッキンに求めるために起きている。このために容量の少ない食器や浅形の食器の蓋には使い難い。
本発明は、これらの問題点を解決するためになされたものである。
【課題を解決するための手段】
【０００４】  パッキンに軟質ゴム或いは軟質樹脂を用い、弾性のある圧着用バンドにより蓋のハマに圧着する。パッキンにはバンドの外周に一体で形成する翼状に取り巻く薄羽を突設する。以上を特徴とするパッキンを設けた蓋は外気を遮断し食器の密閉蓋ができる。
【発明の効果】
【０００５】  装着用バンドと密閉用に突設する薄羽を一体で形成されたパッキンのバンドは、蓋のハマに圧着ができ脱落を防止ることだけを目的に形状が自由に選択できる。突設された薄羽は、食器を密閉することだけを目的に位置と寸法と厚さを自由に選択できる。【０００６】  加熱圧造や鋳造により形成される軟質ゴムや軟質樹脂を用いたパッキンは、蓋の垂直なハマでもバンドの弾性により圧着が可能であるため、蓋の製造を容易にする。【０００７】  蓋と薄羽の離間を狭く設ければ、食器の歪や開口部に多少の高低差があっても外気を遮断でき密閉度を損うことがなく、電子レンジに使用可能な乗せて用いる密閉蓋ができる。【０００８】  蓋と薄羽の離間を広く設ければ、外気を遮断し密閉度の高い嵌め込んで用いる蓋ができ、薄羽を用いた封緘により蓋の取り外しを軽くすることができる。【０００９】  従来必用とした蓋のハマの嵌装する凹陥溝をなくすことができ、蓋と薄羽の離間を広く設けても蓋と薄羽の離間を従来よりも狭くでき、蓋全体の厚さが薄くなるため食器の容量を減少させない。【００１０】  このような、圧着可能な蓋の形状に制約が少ないパッキンによる密閉蓋は、従来技術では使い難くかった容量の少ない食器や浅形の食器に利用範囲が広がり、蓋の脱落防止するティーポット、洗浄し易い弁当箱、マグカップや各種保存容器等に利用することができる。
【発明を実施するための最良の形態】
【００１１】  以下、本発明の実施の形態について説明する。
（イ）蓋（２）のハマ（３）へ環状に圧着するパッキン（１）は、軟質ゴム或いは軟質樹脂を用いる。
（ロ）パッキンは、圧着用バンド（４）により圧着可能な強い弾性を有し、蓋（２）のハマ（３）に圧着する。
（ハ）パッキン（１）は、バンド（４）の外周に一体で形成する翼状に取り巻く薄羽（５）を突設する。
（ニ）蓋（２）のハマ（３）は垂直に設けられ、パッキン（１）はバンド（４）により脱落せず圧着ができ、圧着した状態でパッキン（１）のバンド（４）の外周が垂直となる形状にバンド（４）は形成されている。
（ホ）バンド（４）に突設された薄羽（５）は、バンド（４）の外周と直角に形成されパッキン（１）を蓋（２）へ圧着した状態で蓋（２）と水平となる。
（ヘ）突設された薄羽（５）の薄羽幅（ａ）は、蓋と薄羽の離間（ｂ）より短くなるように形成されている。
本発明は以上のような構成で、これを使用するときは、装着可能な開口部を形成した食器（６）へパッキン（１）を装着した蓋（２）を押さえ込むことにより、弾性のある薄羽（５）が食器（６）の内側に大きく変形して没入し食器（６）が封緘される。封緘に薄羽（５）を用いたことにより蓋（２）の取り外しを軽くすることができ、蓋（２）全体の厚さが薄くなり、食器（６）の容量の減少を小さくした密閉度の高い嵌め込んで用いる密閉蓋ができる。蓋の素材は、樹脂・木・陶磁器・ガラス・金属等を用いることができ、パッキンの素材は、軟質ゴムのシリコンーンゴム・軟質樹脂のエラストマー等が選択できる。
【実施例１】
【００１２】  図２に示すように、突設された薄羽（５）の薄羽幅（ａ）が、蓋と薄羽の離間（ｂ）より短くなるように形成され、図３に示すように、装着可能な開口部を形成した食器（６）へパッキン（１）が装着された蓋（２）を押さえ込むことにより、弾性のある薄羽（５）が食器（６）の内側に大きく変形して没入し食器（６）が封緘される、密閉度の高い嵌め込んで用いる請求項１の密閉蓋。
【実施例２】
【００１３】  図４に示すように、突設された薄羽（５）が蓋（２）と同じ周縁寸法の薄羽幅（ａ）で形成され、蓋と薄羽の離間（ｂ）が狭い位置に形成され、図５に示すように、装着可能な開口部を形成した食器（６）へパッキン（１）を装着した蓋（２）を乗せることにより、弾性のある薄羽（５）が蓋（２）の自重により食器（６）の開口部の周縁に挟まれるかたちで小さく変形し食器（６）が封緘される、食器（６）に蓋（２）を乗せたまま電子レンジに使用可能な、乗せて用いる請求項１の密閉蓋。
【実施例３】
【００１４】  図６に示すように、突設された薄羽（５）が二ヶ所に設けられ、一方の薄羽（５）は蓋（２）と同じ周縁寸法の薄羽幅（ａ）で蓋と薄羽の離間（ｂ）が狭い位置に形成され、もう一方の薄羽（５）は二枚の薄羽の離間（ｃ）より短くなるように形成され、図７に示すように、装着可能な開口部を形成した食器（６）へパッキン（１）を装着した蓋（２）を押さえ込むことにより、弾性のある下方の薄羽（５）が食器（６）の内側へ大きく変形して没入し食器（６）を封緘し、上方の薄羽（５）も食器（６）の開口部の周縁に挟まれるかたちで小さく変形し食器（６）が封緘され、二重封緘される密閉度の高い嵌め込んで用いる請求項１の密閉蓋。
【実施例４】
【００１５】  図８に示すように、蓋（２）のハマ（３）に括れ又は凹陥を設け、蓋（２）に圧着し嵌装するようにパッキン（１）のバンド（４）を形成させ、強く脱落を防止したことにより、蓋（２）の厚さを更に薄くする請求項１の密閉蓋。
【実施例５】
【００１６】  図９に示す食器となる皿、図１０に示す食器となる容器のように、蓋（２）を底面とする食器のハマ（３）にパッキン（１）を設けることにより、図１１に示すように食器（６）が食器（６）を封緘する請求項１の密閉蓋。
【図面の簡単な説明】
【００１７】
【図１】本発明の斜視図
【図２】本発明の断面図
【図３】本発明の密封蓋を食器に装着した断面図
【図４】本発明の他の実施例を示す断面図
【図５】本発明の密封蓋を食器に装着した断面図
【図６】本発明の他の実施例を示す断面図
【図７】本発明の密封蓋を食器に装着した断面図
【図８】本発明の他の実施例を示す断面図
【図９】本発明の他の実施例を示す断面図
【図１０】本発明の他の実施例を示す断面図
【図１１】本発明の密封蓋を食器に装着した一部断面を表す正面図
【図１２】従来の技術による実施例を示す一部断面を表す正面図
【図１３】従来の技術による実施例を示す一部断面を表す正面図
【図１４】従来の技術による密封蓋を食器に装着した一部断面を表す正面図
【符号の説明】
【００１８】１      パッキン
２      蓋
３      ハマ
４      バンド
５      薄羽
６      食器
ａ      薄羽幅
ｂ      蓋と薄羽の離間
ｃ      二枚の薄羽の離間
【図１】
2007082977.tif 000003
【図２】
2007082977.tif 000004
【図３】
2007082977.tif 000005
【図４】
2007082977.tif 000006
【図５】
2007082977.tif 000007
【図６】
2007082977.tif 000008
【図７】
2007082977.tif 000009
【図８】
2007082977.tif 000010
【図９】
2007082977.tif 000011
【図１０】
2007082977.tif 000012
【図１１】
2007082977.tif 000013
【図１２】
2007082977.tif 000014
【図１３】
2007082977.tif 000015
【図１４】
2007082977.tif 000016
【手続補正書】
【提出日】平成18年3月13日(2006.3.13)
【手続補正１】
【補正対象書類名】特許請求の範囲
【補正対象項目名】全文
【補正方法】変更
【補正の内容】
【特許請求の範囲】
【請求項１】
パッキンを装着した容器の蓋であって、蓋の下部筒状突出縁であるハマの外側の蓋底面とパッキンの一部分である翼状に突設した薄羽が、極狭い隙間空間で離間する位置に形成された、圧着するバンドと翼状に突設した薄羽から成る軟質弾性材によるパッキンを、蓋のハマへ圧着または嵌装したことを特徴とする密閉蓋。
【手続補正２】
【補正対象書類名】明細書
【補正対象項目名】全文
【補正方法】変更
【補正の内容】
【発明の詳細な説明】
【技術分野】
【０００１】
本発明は、繰り返し使用する冷蔵庫収納や電子レンジ加熱ができる容器の、パッキンを用い外気を遮断する密閉蓋に関するものである。
【背景技術】
【０００２】
従来、容器に用いるパッキンを装着して外気を遮断する密閉蓋には、蓋の下部筒状突出縁であるハマに環状に形成された平面なパッキンを蓋へ嵌着し、容器開口部先端に当て乗せて或いは圧着し用いる蓋（図８参照）があった。また、ハマの外側壁に設けた凹陥溝へ嵌装された鍔のあるパッキン、或いはハマの外側壁へ鍔が突設されたパッキンにより容器上部の内側壁へ鍔を変形させ没入させることにより封緘する、押え嵌め込む蓋（図９、図１０、特許文献１〜８参照）があった。
【特許文献１】実全平０１−１１９９７０号公報
【特許文献２】実全平０２−１３５４６３号公報
【特許文献３】実全昭６３−１６６９５５号公報
【特許文献４】実全昭６３−１１７７４８号公報
【特許文献５】特開平０４−３６７４６７号公報
【特許文献６】実用新案登録第３０６６６０４号公報
【特許文献７】特開平０９−２４０７１８号公報
【特許文献８】実全平０１−１００７３１号公報
【発明の開示】
【発明が解決しようとする課題】
【０００３】
従来のパッキンを装着し外気を遮断する密閉蓋には、次のような問題点があった。
蓋の下部筒状突出縁であるハマに環状に形成されたパッキンを容器開口部先端に当て乗せて或いは圧着して用いる蓋は、環状に形成された平面から成るパッキンであるため容器開口部先端の歪や僅かな高低差があると乗せて用いた場合には密閉できないことがあった。そのため、圧力をかける付属金具を装備したものがあるが電子レンジでの使用ができない。
容器へ押え嵌め込む蓋は容器に嵌着固定され高い密封性が得られるが、蓋をしたまま電子レンジで加熱をすると短時間に発生する蒸気が容器内部圧力を急上昇させるため危険であり蒸気を抜く部品を設けるなどの対策が必要であった。
パッキンの鍔を加え込む蓋は嵌着し固定するため蓋を片手で取り外すことができず、鍔を容器上部の内側壁へ押し込むための幅が必用であるため、蓋のハマを高くしなければならず蓋全体が厚くなり容器の容量が減少するために容量の少ない容器や浅形容器には使えなかった。容器の縁に掛け止める樹脂蓋や、従来の技術によるパッキンでは蓋を乗せるだけで外気を確実に遮断できる密閉蓋ができなかった。
本発明は、これらの問題点を解決するためになされたものである。
【課題を解決するための手段】
【０００４】
パッキンを装着した容器の蓋であって、蓋の下部筒状突出縁であるハマの外側の蓋底面とパッキンの一部分である翼状に突設した薄羽が、極狭い隙間空間で離間する位置に形成された、圧着するバンドと翼状に突設した薄羽から成る軟質弾性材によるパッキンを、蓋のハマへ圧着または嵌装したことを特徴とする密閉蓋。
【発明の効果】
【０００５】
蓋底面と薄羽を極狭い隙間空間で離間する位置に設けたことにより、容器開口部先端の歪や高低差があっても薄羽が蓋の自重で変形し容器開口部の先端を上から覆い押え塞ぐことができ、蓋を乗せるだけで密閉度を低下させることなく外気を確実に遮断することができる。
嵌着固定せず付属金具等を用いない乗せ蓋であるため、電子レンジ加熱による短時間に発生する蒸気を蓋をしたまま安全に逃がすことができ、密閉蓋であっても蓋をしたまま電子レンジの使用ができる。乗せ蓋であるため蓋は片手で容易に取り外すことができる。
容器上部の内側壁へ鍔を押し込むための高さを必用としないので蓋のハマを低くできることから、蓋全体を薄くすることができる。
このように、従来技術では使えなかった容量の少ない容器や浅形容器の密閉に便利であるため密閉容器の利用範囲を広げることができ、冷蔵庫収納で乾燥を防止し電子レンジ加熱を容易にする、蓋を乗せるだけで外気を確実に遮断できる容器の密閉蓋ができる。
【発明を実施するための最良の形態】
【０００６】
以下、本発明の実施の形態について説明する。
（イ）蓋（２）の下部筒状突出縁であるハマ（３）へ環状に圧着するパッキン（１）は、
軟質弾性材である軟質ゴム或いは軟質樹脂を用いる。
（ロ）パッキンは、圧着用バンド（４）により強い弾性により、蓋（２）のハマ（３）に
圧着し嵌装する。
（ハ）パッキン（１）は、バンド（４）の外周に一体で形成する翼状に取り巻く薄羽（５）を突設する。
（ニ）蓋（２）のハマ（３）は垂直に設けられ、パッキン（１）はバンド（４）により圧
着さるため脱落せず、嵌装した状態でパッキン（１）のバンド（４）の外周が垂直となるようにバンド（４）を形成する。
（ホ）バンド（４）に突設された薄羽（５）は、バンド（４）の外周と直角に形成し、パ
ッキン（１）を蓋（２）へ嵌装した状態で、蓋（２）のハマ（３）の、外側の蓋底面と水平になるように形成する。
（へ）突設された薄羽（５）は、厚さ０．３ミリ〜１ミリで薄く形成され、蓋（２）のハ
マ（３）から外側の蓋底面と極狭い隙間空間（ｂ）である１ミリ〜２ミリで離間する位置に、バンド（４）と一体で形成する。
（ト）薄羽幅（ａ）は、密閉される容器開口部の先端部全体を上から覆い塞ぐことができ
る幅で形成する。
【０００７】
本発明は以上のような構成で、これを使用するときは、容器（６）に乗せられたパッキン（１）を装着した蓋（２）は、蓋と薄羽の離間である蓋底面と極狭い隙間空間（ｂ）で離間する位置に設けられた翼状の薄羽（５）が蓋（２）の自重で変形しながら容器（６）の開口部の先端を上から覆い押え塞ぎ外気を遮断する。蓋底面と薄羽（５）を極狭い隙間空間（ｂ）で離間する位置に設けたことにより、容器（６）の開口部の歪や高低差があってもパッキン（１）の弾性のある翼状の薄羽（５）が蓋（２）の自重により蓋（２）と容器（６）の開口部の先端に挟まれる形に変形し容器（６）の開口部の先端を上から覆い押え塞ぎ、密閉度を低下させることなく外気を確実に遮断する。嵌着固定せず付属金具等を用いない乗せ蓋であるため、密閉蓋であっても蓋（２）をしたまま電子レンジで使用でき電子レンジ加熱による短時間に発生する蒸気を蓋（２）をしたまま安全に逃がすことができる。乗せ蓋であるため蓋（２）は片手で容易に取り外すことができる。容器（６）の上部の内側壁へ鍔を押し込むための高さが必用なく蓋（２）のハマ（３）が低くできるので蓋（２）全体を薄くすることができる。このように、従来技術ではできなかった容量の少ない容器（６）や浅形の容器（６）の密閉に利用範囲を広げることができ、冷蔵庫収納で乾燥を防止し電子レンジで加熱が容易な、蓋（２）を乗せるだけで外気を確実に遮断できる容器の蓋（２）ができる。
蓋（２）の素材は、樹脂・木・陶磁器・ガラス・金属等を用いることができ、パッキン（１）の素材は、軟質弾性材である軟質ゴムのシリコンーンゴム・軟質樹脂のエラストマーなどが選択できる。
【実施例１】
【０００８】
図２、図３に示すように、蓋（２）のハマ（３）へパッキン（１）が装着された蓋（２）は、バンド（４）から突設された翼状の薄羽（５）が蓋（２）と同じ周縁寸法である容器（６）の開口部を覆う薄羽幅（ａ）により蓋と薄羽の離間である蓋底面と極狭い隙間空間（ｂ）で離間する位置に形成されている。容器（６）へ蓋（２）を乗せることにより、弾性のある翼状の薄羽（５）が蓋（２）の自重により蓋（２）と容器（６）の開口部の先端に挟まれる形に変形し容器（６）を封緘する密閉蓋である。
【実施例２】
【０００９】
図４に示すように、蓋（２）のハマ（３）に括れ又は凹陥を設け、蓋（２）に圧着し嵌装するようにパッキン（１）のバンド（４）を形成し、バンド（４）から突設された翼状の薄羽（５）を蓋と薄羽の離間である蓋底面と極狭い隙間空間（ｂ）で離間する位置に形成すれば、強く脱落を防止できるため厚さが更に薄い蓋（２）にすることができる。
【実施例３】
【００１０】
図５に示す皿となる蓋（２）、図６に示す容器（６）となる蓋（２）のように、皿や容器（６）の底面となるハマ（３）にパッキン（１）を設け、バンド（４）から突設された翼状の薄羽（５）を蓋と薄羽の離間である蓋底面と極狭い隙間空間（ｂ）で離間する位置に形成すれば、図７に示すように容器（６）を乗せ置くだけで下の容器（６）を封緘する、積み重ね容器ができる。
【図面の簡単な説明】
【００１１】
【図１】本発明の斜視図
【図２】本発明の断面図
【図３】本発明の密閉蓋を容器に装着した断面図
【図４】本発明の他の実施例を示す断面図
【図５】本発明の他の実施例を示す断面図
【図６】本発明の他の実施例を示す断面図
【図７】本発明の密閉蓋を容器に装着した断面図
【図８】従来の技術による実施例を示す一部断面を表す正面図
【図９】従来の技術による実施例を示す一部断面を表す正面図
【図１０】従来の技術による実施例を示す一部断面を表す正面図
【符号の説明】
【００１２】
１  パッキン
２  蓋
３  ハマ
４  バンド
５  薄羽
６  容器
ａ  薄羽幅
ｂ  隙間空間
【手続補正３】
【補正対象書類名】図面
【補正対象項目名】全図
【補正方法】変更
【補正の内容】
【図１】
2007082977.tif 000017
【図２】
2007082977.tif 000018
【図３】
2007082977.tif 000019
【図４】
2007082977.tif 000020
【図５】
2007082977.tif 000021
【図６】
2007082977.tif 000022
【図７】
2007082977.tif 000023
【図８】
2007082977.tif 000024
【図９】
2007082977.tif 000025
【図１０】
2007082977.tif 000026